(57)【要約】【課題】売り場の清潔感及び作業性を向上させることのできる収納具を提供する。【解決手段】被収納物品を出入可能とする開口１２を有する収納部１０と、商品陳列什器１００´の所定の取り付け面に収納部１０を着脱自在に取り付ける取付け部３０とを備え、収納部１０は、開口１２が商品陳列什器１００´の一の面に向いた閉口状態、及び開口１２から被収納物品を出入可能な開口状態の間を変動可能に、かつ閉口状態を維持可能に取付け部３０に設けられている。【選択図】図１
2012165835.tif 000002
【特許請求の範囲】
【請求項１】
被収納物品を出入可能とする開口を有する収納部と、
商品陳列什器の所定の取り付け面に前記収納部を着脱自在に取り付ける取付け部とを備え、
前記収納部は、前記開口が前記商品陳列什器の一の面に向いた閉口状態、及び前記開口から被収納物品を出入可能な開口状態の間を変動可能に、かつ前記閉口状態を維持可能に前記取付け部に設けられている
ことを特徴とする収納具。
【請求項２】
前記収納部は、前記取付け部に対して回動自在な状態で、該取付け部に支持されている
ことを特徴とする請求項１記載の収納具。
【請求項３】
前記収納部は、被収納物品を収納可能な本体部材と、前記取付け部に対して回動自在な状態で該取付け部に支持される支持部材とを備え、
前記支持部材及び前記取付け部には、磁力によって接着可能なマグネットがそれぞれ設けれ、
前記支持部材及び前記取付け部に設けられたマグネットが接着することによって、前記閉口状態を維持する
ことを特徴とする請求項２記載の収納具。
【請求項４】
前記収納部には、前記商品陳列什器に磁力によって接着可能なマグネットが設けられ、
前記収納部に設けられたマグネットが前記商品陳列什器の一の面に接着することによって、前記閉口状態を維持する
ことを特徴とする請求項１又は２記載の収納具。
【請求項５】
前記収納部は、表示物を挟持可能な挟持片が設けられている
ことを特徴とする請求項１乃至４いずれか１項記載の収納具。
【発明の詳細な説明】
【技術分野】
【０００１】
本発明は、スーパーマーケット等における商品陳列什器に取り付けられ、表示具や小物等の被収納物を収納する収納具に関するものである。
【背景技術】
【０００２】
従来、スーパーマーケット等において、精肉、鮮魚及び野菜などの商品は、例えば図８に示すような商品陳列棚１００に陳列されている。この商品陳列棚１００には、販売される商品と共に、例えば商品名や商品の価格等が表示された表示具１０２、１０２´が複数取り付けられている（特許文献１参照）。このようなスーパーマーケット等においては、商品の入れ替わりが頻繁に行なわれるため、予め商品陳列棚１００に複数の表示具１０２、１０２´等を取り付けておき、使用する表示具１０２のみを買い物客に見えるように表向きに取り付け、使用しない表示具１０２´を買い物客から見えないように裏向きに取り付けるなどして、必要に応じて使用する表示具を増減及び変更するなどしている。また、このようなスーパーマーケット等においては、タイムセールや特売などによって頻繁に商品の価格が変更されるが、その為に使うペン（マーカー）やシール、また汚れた売り場を拭く為の布巾等の小物は、商品陳列棚の上に載置されたかご１０４等や、バックヤードに保管されている。
【先行技術文献】
【特許文献】
【０００３】
【特許文献１】特開２００２−６２８２７号公報
【発明の概要】
【発明が解決しようとする課題】
【０００４】
しかしながら、従来のような方法で表示具１０２´やかご１０４等が設けられた商品陳列棚１００では、見栄えが悪く、売り場の清潔感が損なわれるという問題がある。また、かご１０４等は、使用者の背丈ほどの高さもある商品陳列棚１００の上に載置されているため、このかご１０４等から小物を取り出すのは大変であり、作業効率が悪く、また、商品陳列棚１００の上に載置されたかご１０４等から小物を取り出す際に、商品陳列棚１００の上にたまった埃が舞い散るおそれがあり、不衛生であるという問題がある。一方、これらの問題は、これら表示具１０２´及び小物等をバックヤードに保管することによりある程度解消することができるが、その場合には、使用する表示具や小物等をその都度バックヤードまで取りに行かなくてはならないため、作業効率が悪いという問題がある。
【０００５】
そこで、本発明は、売り場の清潔感及び作業性を向上させることのできる収納具を提供することを目的とする。
【課題を解決するための手段】
【０００６】
以上の目的を達成するため、本発明に係る収納具は、被収納物品を出入可能とする開口を有する収納部と、商品陳列什器の所定の取り付け面に前記収納部を着脱自在に取り付ける取付け部とを備え、前記収納部は、前記開口が前記商品陳列什器の一の面に向いた閉口状態、及び前記開口から被収納物品を出入可能な開口状態の間を変動可能に、かつ前記閉口状態を維持可能に前記取付け部に設けられていることを特徴とする。
【０００７】
このような構成を備えることにより、本発明に係る収納具は、開口状態の収納部に例えば表示具、値引きシール、ペン及び布巾などの被収納物品を収納させた後、収納部を閉口状態に変動させることによって、収納部に収納された被収納物品を買い物客から見えないようにすることができ、売り場の清潔感を向上させることができる。また、本発明に係る収納具は、商品陳列什器に取り付けて使用されるものであり、売り場において被収納物品の出し入れを迅速に行うことができるため、作業性を向上させることができる。ここで、商品陳列什器とは、商品を陳列するための道具をいい、例えば商品陳列棚や商品陳列ワゴン等を含むものである。
【０００８】
本発明に係る収納具において、前記収納部は、前記取付け部に対して回動自在な状態で、該取付け部に支持されていることが好ましく、これにより、例えば収納部を商品陳列什器に対してスライドさせて閉口状態及び開口状態の間を変動させる場合と比較して、収納部を回動させるという簡単な操作によって開口の閉口状態及び開口状態の間を変動させることができ、より作業性を向上させることができる。
【０００９】
また、本発明に係る収納具において、前記収納部は、被収納物品を収納可能な本体部材と、前記取付け部に対して回動自在な状態で該取付け部に支持される支持部材とを備え、前記支持部材及び前記取付け部には、磁力によって接着可能なマグネットがそれぞれ設けれ、前記支持部材及び前記取付け部に設けられたマグネットが接着することによって、前記閉口状態を維持するとしても良く、また、前記収納部には、前記商品陳列什器に磁力によって接着可能なマグネットが設けられ、前記収納部に設けられたマグネットが前記商品陳列什器の一の面に接着することによって、前記閉口状態を維持するとしても良い。本発明に係る収納具は、このようにマグネットの磁力による接着によって閉口状態を維持するものであるため、取り扱いが容易であり、より作業性を向上させることができる。
【００１０】
さらに、本発明に係る収納具において、前記収納部は、表示物を挟持可能な挟持片が設けられていることが好ましく、このように挟持片が設けられることにより、例えば前記閉口状態において表示物の表示が可能となるため、販促効果を向上させることができる。
【発明の効果】
【００１１】
以上のように、本発明によれば、売り場の清潔感及び作業性を向上させることのできる収納具を提供することができる。
【図面の簡単な説明】
【００１２】
【図１】本発明の第１実施形態に係る収納具の開口状態を示す正面斜視図である。
【図２】図１のＡ−Ａ´線に沿った端面図である。
【図３】第１実施形態に係る収納具の取付け部及び支持部材を分解した状態を示す正面斜視図である。
【図４】図４（ａ）は、第１実施形態に係る収納具の閉口状態を示す側面図であり、図４（ｂ）は、第１実施形態に係る収納具の開口状態を示す側面図である。
【図５】第１実施形態に係る収納具の閉口状態を示す正面斜視図である。
【図６】第１実施形態に係る収納具に表示パネルを取り付けた状態を示す正面斜視図である。
【図７】本発明の第２実施形態に係る収納具の開口状態を示す正面斜視図である。
【図８】商品陳列棚の概略構成を示す正面斜視図である。
【発明を実施するための形態】
【００１３】
次に、本発明の第１実施形態に係る収納具について、図面に基づいて説明する。この収納具１は、図１に示すように、被収納物品を出入可能とする開口１２を有する収納部１０と、商品陳列棚１００´の所定の取り付け面に収納部１０を着脱自在に取り付ける取付け部３０とを備えており、この収納部１０は、開口１２が商品陳列棚１００´の一の面に向いた閉口状態、及び開口１２から被収納物品を出入可能な開口状態の間を変動可能に、かつ閉口状態を維持可能に取付け部３０に設けられている。
【００１４】
収納部１０は、被収納物品を収納する本体部材１４と、本体部材１４の両端部に取り付けられる一対の支持部材１６とから構成されている。
【００１５】
本体部材１４は、樹脂などからなり、図１及び２に示すように、上面、背面及び底面からなる長手方向に延びる断面略コ字状に形成され、この底面の先端縁部に上方に延びるフランジが形成されている。この本体部材１４の先端縁部と上面の先端縁部との間の領域は、被収納物品を出入可能な開口１２を形成している。この本体部材１４は、例えば押出成形によって成形することができる。
【００１６】
支持部材１６は、図１及び図３に示すように、本体部材１４の長手方向の両端部にそれぞれ取り付けられるように構成され、その端部全域を覆う側面、背面及び底面の３つの面が互いに垂直に交わる支持部材本体１７と、底面から背面及び側面と平行に支持部材本体１７内を延びる角柱状のアーム部１８とから形成されている。これら支持部材本体１７及びアーム部１８は、樹脂などにより一体成形されており、本体部材１４の両端部それぞれに取付けられる支持部材１６は、左右対称に形成されている。
【００１７】
支持部材本体１７の側面の外表面には、本体部材１４の側縁部の形状に相応した略逆Ｌ字状に形成され、その側縁部が嵌合可能な嵌合片１９が形成されており、この嵌合片１９に本体部材１４の側縁部を嵌合させることにより、本体部材１４の開放された側面が閉塞されるように構成されている。また、支持部材本体１７の背面は、後述する取付け部３０のベース部３４の底面よりも大きく形成され、支持部材本体１７の底面は、後述する取付け部３０のベース部３４の側面よりも大きく形成されており、これにより、開口１２が商品陳列棚１００´の一の面に向いた閉口状態において、支持部材本体１７の背面及び底面によって取付け部３０を覆い隠し、買い物客側から取付け部３０が見えないようにすることができる。また、支持部材本体１７の背面の外表面には、図４及び図６に示すように、表示パネルなどの表示物２を挟持可能な挟持片２０が設けられている。なお、この挟持片２０は、支持部材１６の任意の位置に設けることができる。
【００１８】
アーム部１８は、図１、図３及び図４に示すように、基端部が底面に設けられると共に、先端部が後述する取付け部３０の突出片３８、３８間に挿嵌可能に形成されている。このアーム部１８の先端部には、後述するネジ２９が螺合可能なネジ孔２９Ａが形成されている。また、アーム部１８の上側部には、後述するベース部材３４の第２マグネット４１とそれらの磁力により接着可能な第１マグネット４０が設けられている。
【００１９】
取付け部３０は、商品陳列棚１００´に磁力により取付可能な取付用マグネット３２と、取付用マグネット３２を保持するベース部材３４と、商品陳列棚１００´に取付られた取付用マグネット３２を商品陳列棚１００´から離脱させる梃子部材３６とを備えている。
【００２０】
ベース部材３４は、長方形状の底面と、底面の三方を囲う側面とから形成されており、この底面及び側面に囲まれた空間内に取付用マグネット３２が設けられている。また、ベース部材３４は、図３に示すように、その底面に下方に向けて突出する突出片３８、３８が一対形成されており、これら突出片３８、３８には、ネジ２９が挿入可能な挿入孔３８Ａが形成されている。このベース部材３４は、これら突出片３８、３８の間にアーム部１８の先端部が挿嵌され、ネジ２９が突出片３８、３８の挿入孔３８Ａ及びアーム部１８のネジ孔２９Ａに挿入及び螺合されることによって、支持部材１６がベース部材３４に対して回動自在に連結されるよう構成されている。また、ベース部材３４の底面の外表面上には、アーム部１８に設けられた第１マグネット４０と磁力によって接着可能な第２マグネット４１が設けられている。
【００２１】
梃子部材３６は、ベース部材３４の開放された側面を閉塞するように設けられ、外側に突出した部位を押圧することによって、取付用マグネット３２側に他の部位が突出するよう構成され、その動作により、商品陳列棚１００´に接着された取付用マグネット３２が商品陳列棚１００´から離脱させるように構成されている。このような梃子部材３６及び取付用マグネット３２の構成は、例えば特許第３２２５３９９号に記載されているような周知の構成を採用することができる。
【００２２】
第１実施形態に係る収納具１は、図１に示すように、本体部材１４の長手方向の両端部にそれぞれ支持部材１６を取り付け、これら各支持部材１６のアーム部１８の先端部をそれぞれ取付け部３０の突出片３８、３８の間に挿嵌し、ネジ２９を突出片３８、３８の挿入孔３８Ａ及びアーム部１８のネジ孔２９Ａに挿入及び螺合させることによって構成されている。このように、収納具１は、図４（ａ）及び（ｂ）に示すように、アーム部１８の先端部と突出片３８、３８とをネジ２９で締結することにより、アーム部１８の先端部を中心として取付け部３０に対して収納部１０を回動させることができる。ここで、ネジ２９の締結力は、取付け部３０に対する収納部１０の回動角度を任意の位置で停止可能にさせることができる程度に調節されている。
【００２３】
このように構成された第１実施形態に係る収納具１は、図５に示すように、取付け部３０の磁力によって、商品陳列棚１００´の所定の取付面に取り付けて用いられる。このように商品陳列棚１００´に取り付けられた収納具１は、開口１２が前面側に開放される位置まで取付け部３０に対して収納部１０を回動させることにより、例えば図１及び図４（ｂ）に示すような開口状態とすることができ、被収納物品を収納部１０内へ出し入れすることが可能となる。一方、収納部１０内に被収納物品を収納させた後は、開口１２が商品陳列棚１００´の一の面によって閉口される位置まで取付け部３０に対して収納部１０を回動させると共に、アーム部１８の第１マグネット４０とベース部材３４の第２マグネット４１とをそれらの磁力によって接着させることにより、例えば図４（ａ）及び図５に示すような閉口状態を維持することができ、買い物客に対して収納部１０内の被収納物品及び取付け部３０を隠すことが可能となる。なお、図５に示す例では、収納具１は、商品陳列棚１００´の天面に取り付けられているが、これに限定されず、例えば商品陳列棚１００´の側面や正面など、任意の位置に取り付けることができる。
【００２４】
また、第１実施形態に係る収納具１は、例えば商品陳列棚１００´の正面に取り付けられる場合には、図６に示すように、開口１２の閉口状態において、収納部１０に設けられた挟持片２０によって表示パネルなどの表示物２を表示させることができ、かつ収納具１を表示物２で隠すことができる。なお、商品陳列棚１００´の正面以外の取付面に収納具１を取り付けた際に表示物２を表示可能にさせる場合には、挟持片２０の形成位置が異なる支持部材１６を用いれば良く、例えば商品陳列棚１００´の天面に収納具１を取り付けた際に表示物２を表示可能にさせる場合には、挟持片が底面の外表面に形成された支持部材を用いれば良い。
【００２５】
次に、本発明の第２実施形態に係る収納具１´について、図７に基づいて説明する。なお、第２実施形態に係る収納具１´において、取付け部３０´の構成は、第１実施形態に係る収納具１の取付け部３０と同様の構成であるため、その説明を省略する。
【００２６】
第２実施形態に係る収納具１´は、第１実施形態に係る収納具１の収納部１０と同様に、被収納物品を出入可能とする開口１２´を有する収納部１０´と、商品陳列棚１００´の所定の取り付け面に収納部１０´を着脱自在に取り付ける取付け部３０´とを備えている。
【００２７】
収納部１０´は、樹脂などからなり、長手方向に延びる筐状に形成され、その前面の上側部及びそれと連続する上面の一部に被収納物品を出入可能な開口１２´が形成されている。収納部１０´の両側部には、背面及び底面と連続して長手方向外側に延びる略Ｌ字状のフランジ１１´が一体的に形成されている。このフランジ１１´は、その背面が、取付け部３０´のベース部３４´の底面よりも大きく形成され、底面が、取付け部３０´のベース部３４´の側面よりも大きく形成されている。収納部１０´は、このような大きさに形成されたフランジ１１´を有することにより、開口１２´が商品陳列棚１００´の一の面に向いた閉口状態において、フランジ１１´の背面及び底面によって取付け部３０´を覆い隠し、買い物客側から取付け部３０´が見えないようにすることができる。収納部１０´の両側面の上端近傍には、後述する回動軸３８´が貫通可能な貫通孔がそれぞれ形成されている。また、収納部１０´の前面の下側部には、商品陳列棚１００´にその磁力によって接着可能なシート状のマグネット４０´がスポンジなどの緩衝部材を介して設けられている。
【００２８】
第２実施形態に係る収納具１´は、収納部１０´と収納部１０´の両側端部にそれぞれ取り付けられる取付け部３０´とが、各取付け部３０´の突出片３８´、３８´及び収納部１０´の貫通孔に貫装された回動軸３９´によって連結されることにより、構成されている。
【００２９】
このように構成された収納具１´は、取付け部３０´の磁力によって、商品陳列棚１００´の所定の取付面に取り付けて用いられる。このように商品陳列棚１００´に取り付けられた収納具１´は、収納部１０´の自重によって回転軸３９´を中心として商品陳列棚１００´に対して回動し、被収納物品を収納部１０´内へ出し入れ可能な開口状態とすることができる。一方、収納部１０´内に被収納物品を収納させた後は、開口１２´が商品陳列棚１００´の一の面によって閉口される位置まで取付け部３０´に対して収納部１０´を回動させると共に、収納部１０´に設けられたマグネット４０´を商品陳列棚１００´の一の面にその磁力によって接着させることにより、閉口状態を維持させ、買い物客に対して収納部１０´内の被収納物品及び取付け部３０´を隠すことが可能となる。
【００３０】
第２実施形態に係る収納具１´は、第１実施形態に係る収納具１のように収納部１０´の回動角度を調節することができないが、部品点数を少なくし、構造を簡略化することができるので、製造コストなどを抑えることができる。
【００３１】
本発明に係る収納具は、上述した実施形態に限定されるものではなく、本発明の技術思想を逸脱しない範囲内において種々の改変を行なうことができる。例えば、第１及び第２実施形態に係る収納具１、１´において、収納部１０、１０´には、内部の収納空間を複数の空間に区分けする仕切り板が設けられるとしても良く、このように仕分け板を設けた場合には、より整理整頓が容易となる。
【００３２】
また、第１及び第２実施形態に係る収納具１、１´において、取付け部３０には、取付用マグネット及び梃子部材が設けられるとしたが、これに限定されず、吸盤、ネジ止め又は両面テープなどが設けられるとしても良い。
【００３３】
さらに、第１及び第２実施形態に係る収納具１、１´において、収納部１０、１０´は、回動により開口１２、１２´の閉口状態及び開口状態を変動させるとしたが、これに限定されず、例えば商品陳列什器に対して収納部をスライドさせることにより開口の閉口状態及び開口状態を変動させるとしても良い。
【符号の説明】
【００３４】
１  収納具、１０  収納部、１４  本体部材、１６  支持部材、２０  挟持片、３０  取付け部
【図１】
2012165835.tif 000003
【図２】
2012165835.tif 000004
【図３】
2012165835.tif 000005
【図４】
2012165835.tif 000006
【図５】
2012165835.tif 000007
【図６】
2012165835.tif 000008
【図７】
2012165835.tif 000009
【図８】
2012165835.tif 000010